(57)【要約】【課題】発電機仕様のディーゼルエンジンに用いられるガバナ装置において、ヘルツ切替に際してのガバナレバーのレギュレーションの変化の小さい構成を提案するものである。【解決手段】発電機仕様のエンジンに用いられる燃料噴射ポンプのガバナ装置７において、前記燃料噴射ポンプのコントロールラックに連動連結されるコントロールレバー軸２２の軸受２３を偏心構造とし、ガバナ装置１の外部には、前記軸受２３の円周方向の角度を定量的に変更可能とする操作部（調整レバー２４）を設けた。【選択図】        図２
2004204750.tif 000002
【特許請求の範囲】
【請求項１】
発電機仕様のエンジンに用いられる燃料噴射ポンプのガバナ装置において、前記燃料噴射ポンプのコントロールラックに連動連結されるコントロールレバー軸の軸受を偏心構造とし、ガバナ装置の外部には、前記軸受の円周方向の角度を定量的に変更可能とする操作部を設けた、ことを特徴とする燃料噴射ポンプのガバナ装置。
【請求項２】
発電機仕様のエンジンに用いられる燃料噴射ポンプのガバナ装置において、前記燃料噴射ポンプのコントロールラックに連動連結されるコントロールレバーに係止されるガバナスプリングと、前記ガバナスプリングにテンションレバーを介して並列的に作用する並列スプリングを設けるとともに、ガバナ装置の外部には、前記並列スプリングのテンションレバーに対する作用状態を定量的に変更可能とする操作部を設けた、ことを特徴とする燃料噴射ポンプのガバナ装置。
【請求項３】
発電機仕様のエンジンに用いられる燃料噴射ポンプのガバナ装置において、前記燃料噴射ポンプのコントロールラックに連動連結されるコントロールレバーに係止されるガバナスプリングと、テンションレバーを介して前記ガバナスプリングと直列的に作用する直列スプリングを設けるとともに、前記直列スプリングの付勢力及びテンションレバーに対するリフト量を変更可能な構成とすることで、低ヘルツ電力の発電時におけるガバナレバー仕組みのレギュレーションを小さくする構成とした、ことを特徴とする燃料噴射ポンプのガバナ装置。
【発明の詳細な説明】
【０００１】
【発明の属する技術分野】
本発明は、発電機仕様のディーゼルエンジンに用いられるガバナ装置の構成に関し、特に、５０Ｈｚ／６０Ｈｚの発電ヘルツの切替えに伴うガバナレバー仕組みのレギュレーションの変化を小さくすることで、両発電ヘルツに対応するガバナ装置の構成に関する。
【０００２】
【従来の技術】
電源の周波数は地域により異なるものであり、国内では５０Ｈｚと６０Ｈｚといった低・高二種類の周波数が存在する。したがって、ディーゼルエンジンを動力源として発電を行うディーゼル発電機においては、ディーゼルエンジンのガバナ装置にヘルツ切替え装置を設け、一台で低・高二種類の周波数に対応すべく、例えば、低ヘルツ設定では１５００ｒｐｍ回転、高ヘルツ設定では１８００ｒｐｍ回転となるようにエンジン回転数を切り替えるように構成されているものがある（例えば、特許文献１参照。）。
【０００３】
【特許文献１】
実開平６−１７３８号公報
【０００４】
【発明が解決しようとする課題】
上述した低・高のヘルツ切替の際には、エンジン回転数の領域が異なるため、エンジンのクランクシャフトに連動連結される燃料噴射ポンプのカム軸の回転数の領域、そして、遠心力により開閉するガバナウェイトの挙動も異なり、ガバナレバーのレギュレーション、即ち、前記カム軸の回転数に対するラック位置の変化量も低・高のヘルツ切替えによって変化することになる。
そして、該レギュレーションは、高ヘルツでは減少する傾向にあるため、ハンチングを回避する必要がある一方、低ヘルツでは増加する傾向にあるため、出力不足といった問題が生じることから、ヘルツ切替えに連動して変化しないこと、もしくは、変化してもその差を１％以内に収めることが望ましい。
そこで、ヘルツ切替を行った場合においてもレギュレーションを変化させないための仕組みを検討するに、ガバナ装置のケーシング内はスペースが限られているため、大型・複雑な仕組みとすることはできないといった問題があり、また、操作性の面も考慮する必要がある。
本発明は以上の問題に鑑み、発電機仕様のディーゼルエンジンに用いられるガバナ装置において、ヘルツ切替に際してのガバナレバーのレギュレーションの変化の小さい構成を提案するものである。
【０００５】
【課題を解決するための手段】
本発明の解決しようとする課題は以上のごとくであり、次に該課題を解決する為の手段を説明する。
即ち、請求項１に記載のごとく、発電機仕様のエンジンに用いられる燃料噴射ポンプのガバナ装置において、前記燃料噴射ポンプのコントロールラックに連動連結されるコントロールレバー軸の軸受を偏心構造とし、ガバナ装置の外部には、前記軸受の円周方向の角度を定量的に変更可能とする操作部を設けたことである。
【０００６】
また、請求項２に記載のごとく、発電機仕様のエンジンに用いられる燃料噴射ポンプのガバナ装置において、前記燃料噴射ポンプのコントロールラックに連動連結されるコントロールレバーに係止されるガバナスプリングと、前記ガバナスプリングにテンションレバーを介して並列的に作用する並列スプリングを設けるとともに、ガバナ装置の外部には、前記並列スプリングのテンションレバーに対する作用状態を定量的に変更可能とする操作部を設けたことである。
【０００７】
また、請求項３に記載のごとく、発電機仕様のエンジンに用いられる燃料噴射ポンプのガバナ装置において、前記燃料噴射ポンプのコントロールラックに連動連結されるコントロールレバーに係止されるガバナスプリングと、テンションレバーを介して前記ガバナスプリングと直列的に作用する直列スプリングを設けるとともに、前記直列スプリングの付勢力及びテンションレバーに対するリフト量を変更可能な構成とすることで、低ヘルツ電力の発電時におけるガバナレバー仕組みのレギュレーションを小さくする構成としたことである。
【０００８】
【発明の実施の形態】
次に、本発明の実施の形態を説明する。
図１は本発明のガバナ装置を示す側面断面図、図２は同じく側面図、図３はコントロールレバーの軸心位置調節機構を示す平面一部断面図、図４は調整レバーの動作を示す側面図、図５は図１の構成における低・高ヘルツそれぞれのレギュレーションの関係を示す模式図、図６は並列スプリングを備えるガバナ装置を示す側面断面図、図７は図６の構成における低・高ヘルツそれぞれのレギュレーションの関係を示す模式図、図８は直列スプリングを備えるガバナ装置を示す側面断面図、図９は図８の構成における低・高ヘルツそれぞれのレギュレーションの関係を示す模式図である。
【０００９】
本発明のガバナ装置の構成について説明する。図１、図２において、燃料噴射ポンプのカム軸５がポンプケーシング１下部に支持されており、該カム軸５の一端部が、該ポンプケーシング１に取付固定されるガバナ装置７のケーシング８内に突出している。
該カム軸５の一端部には遠心力により開閉するガバナウェイト９が配されており、同じくカム軸５端部に摺動自在に取り付けられたスリーブ１０を軸方向に移動させるようにしている。該スリーブ１０の前端面は、第二ガバナレバー２７の下部立面に嵌設した当接ピン２７ａに当接しており、ガバナウェイト９の動作に伴って第二ガバナレバー２７の下部を押圧するように作用するものである。
【００１０】
第一ガバナレバー１１の上下略中央部、第二ガバナレバー２７の上部は、それぞれテンションレバー１２上の第一回動軸１５ａにより回動自在に支持されており、前記第一回動軸１５ａの下方において、第一ガバナレバー１１の前側突出部と、第二ガバナレバー２７の下部立面の上部とが連結スプリング１３により連結されている。そして、該連結スプリング１３の付勢力により、第一ガバナレバー１１の下部後面と、第二ガバナレバー２７の下部前面とが、互いに当接するようになっている。
また、ケーシング８内における上下方向略中央部には、左右方向にガバナレバー軸１５が横架されており、該ガバナレバー軸１５には、テンションレバー１２の上下略中央部に設けた回動軸受１５ｂが回動自在に支持されている。
以上のように、ガバナレバー軸１５に支持される前記テンションレバー１２と、第一回動軸１５ａにより支持される第一ガバナレバー１１、及び第二ガバナレバー２７によりガバナレバー仕組が構成されている。
【００１１】
また、前記第一ガバナレバー１１の上端部は、リンク１６を介して燃料噴射ポンプのコントロールラックに連結されており、該第一ガバナレバー１１によりリンク１６を介してコントロールラックを移動させることで、燃料噴射ポンプの燃料噴射量が変化するように構成されている。
【００１２】
また、前記テンションレバー１２において、ガバナレバー軸１５より上方に形成した後方延出部は、連結板１７及びガバナスプリング２０を介してコントロールレバー２１の先端部に連結されている。
該コントロールレバー２１の基端部は、ケーシング８の壁面に回転自在に支持され、前記ガバナレバー軸１５と平行なコントロールレバー軸２２の一端部に固定されている。
該コントロールレバー軸２２において、コントロールレバー２１とは反対側の端部は、ケーシング８よりも外側に延出されており、図２に示すごとく、ケーシング８の外部においてアクセルレバー２５の上部と連結されている。
該アクセルレバー２５には図示しない操作機構が接続され、該操作機構によりアクセルレバー２５を回動操作すると、コントロールレバー軸２２、コントロールレバー２１、ガバナスプリング２０、及び連結板１７を介してテンションレバー１２が回動するようになっている。
【００１３】
図１において、テンションレバー１２が増量側へ回動されると、第二ガバナレバー２７がその下部を押されるようにして反時計回りに回動する。そして、第一ガバナレバー１１は、連結スプリング１３の付勢力によって第二ガバナレバー２７と一体的に回動動作し、リンク１６を介してコントロールラックを燃料増量方向へ移動させるようにしている。
以上の構成において、前記コントロールレバー２１のコントロールレバー軸２２は、ガバナスプリング２０、テンションレバー１２、第一ガバナレバー１１及び第二ガバナレバー２７を介して燃料噴射ポンプのコントロールラックに連動連結される構成となっている。
【００１４】
次に、本発明にかかる、コントロールレバー２１の軸心位置調節機構について説明する。
図３に示すごとく、このコントロールレバー２１の軸心位置調節機構３０は、発電機仕様の燃料噴射ポンプのガバナ装置において、前記燃料噴射ポンプのコントロールラックに連動連結されるコントロールレバー軸２２の偏心軸受２３を偏心構造とし、ガバナ装置１の外部には、前記偏心軸受２３の円周方向の角度を定量的に変更可能とする操作部としての調整レバー２４を設けた構成としている。本実施例では、ガバナ装置７のケーシング８には偏心軸受２３が支承され、該偏心軸受２３に、コントロールレバー２１及びアクセルレバー２５を固設したコントロールレバー軸２２が支承される構成とし、前記偏心軸受２３は、外周円の中心と内周円の中心とが互いにずれた関係である偏心構造とし、前記ケーシング８の外部には、前記偏心軸受２３と連結された調整レバー２４を設ける構成としている。
前記調整レバー２４は、図３及び図４に示すごとく、略扇型（図４）の板状部材２４ａに、略９０度の円弧状の長孔２４ｂと、同円弧の中心点となる位置の貫通孔２４ｃとを穿設したものであって、該貫通孔２４ｃに偏心軸受２３を挿嵌するとともに溶接などにて固定している。また、長孔２４ｂより固定ボルト２４ｄを挿入するとともに、該固定ボルト２４ｄをケーシング８に穿設したボルト螺孔８ａに螺挿することにより、固定ボルト２４ｄの座面の押圧力によって、板状部材２４ａの取付角が固定され、調整レバー２４及び偏心軸受２３の取付角が固定されるようになっている。本実施例では、長孔２４ｂを９０度の円弧状としており、調整レバー２４の取付角を二箇所で位置決めできるようにしており、偏心軸受２３の円周方向の角度を定量的に変更できるようになっている。
また、ケーシング８の外側におけるコントロールレバー軸２２の突端部に設けたボルト部２２ａには、アクセルレバー２５が挿通されるとともに固定ナット２２ｂが締結され、コントロールレバー軸２２を中心にアクセルレバー２５が回動する構成となっている。
尚、調整レバー２４の形状等の形態については、本実施例に限定されるものではなく、偏心軸受２３と連結されることで、該偏心軸受２３の取付角度を変更可能とする機能と、所望の取付角度でケーシング８に対して固定可能な機能を有するものであればよい。例えば、板状部材２４ａに関しては、円盤型にするとともに長孔２４ｂを環状に形成するといった構成等でもよい。また、固定ボルト２４ｄによる固定方法のほか、前記偏心軸受２３にねじりコイルバネを巻装するとともに、該ねじりコイルバネの一側フックをケーシング８外部の複数箇所にて係止させる構成とし、ねじりコイルバネの付勢力により偏心軸受２３の取付角度を維持する構成等も考えられる。つまり、ノンツールで取付角度を変更可能な構成とするものである。
【００１５】
以上の構成で、ケーシング８の外部にて調整レバー２４を回動操作させた場合には、偏心軸受２３の回転に伴って、該偏心軸受２３に軸承されるコントロールレバー軸２２の軸心がずれるようになっている。
そして、このようにコントロールレバー軸２２がずれることによって、コントロールレバー２１の位置が全体として移動することから、コントロールレバー２１に設けたスプリング係止部２１ａと、テンションレバー１２側の連結板１７に設けたスプリング係止部１７ａとの間の距離Ｄ（図３）が拡大又は縮小することとなって、両係止部２１ａ・１７ａを連結するガバナスプリング２０の付勢力が増加又は減少することになる。
本実施例では、図４に示すように、調整レバー２４を低ヘルツ位置Ｌの位置から時計回りに９０度回転させることにより、高ヘルツ位置Ｈに設定されるものであって、低ヘルツ位置Ｌにおけるコントロールレバー軸２２の軸心Ｌａが、高ヘルツ位置Ｈでは軸心Ｈａの位置になるように、偏心軸受２３の板状部材２４ａに対する固定角度が設定されている。
【００１６】
以上の構成において、低→高のヘルツ切替の際に調整レバー２４を高ヘルツ位置Ｈに切り替えた場合には、コントロールレバー軸２２の軸心が後方へずれ、前記距離Ｄが短くなって、ガバナスプリング２０の付勢力が減少する。これにより、図５に示すように、ガバナレバー仕組のレギュレーション、即ち、前記カム軸５の回転数に対するラック位置の変化量（直線Ｈ１で示される）は、調整レバー２４を低ヘルツ位置Ｌの状態のままで高ヘルツに切り替えた場合における直線Ｈ２で示されるレギュレーションと比較して大きくなる。
そして、この直線Ｈ１で示されるレギュレーションは、低ヘルツにおけるガバナレバー仕組のレギュレーションを表す直線Ｌ１と略同一となることから、低→高へのヘルツ切替に際し、同一のレギュレーションを維持することができる。
逆に、高→低のヘルツ切替の際には、調整レバー２４を低ヘルツ位置Ｌに切り替えることで、上述したガバナスプリング２０の付勢力を増加する側に変更することで、低ヘルツにおけるレギュレーションの設定に切り替えることができる。
尚、調整レバー２４を高ヘルツ位置Ｈのままにしてヘルツ切替を行うと、直線Ｌ２のようになって、レギュレーションが大きくなり、出力を低下させてしまうこととなる。
以上のようにして、ヘルツ切替に応じて、調整レバー２４を高ヘルツ位置Ｈ・低ヘルツ位置Ｌに切替え操作することにより、両ヘルツにおいて略同一のレギュレーションを維持する、換言すれば、両ヘルツにおけるレギュレーションを近づけることができる。
また、ケーシング８の外部に調整レバー２４が配されているため、切り替え操作を容易に行うことができる。
【００１７】
次に、本発明にかかる、ガバナスプリング２０の第一ガバナレバー１１に対する付勢力と並列的に作用する付勢力を呈する並列スプリングを設ける構成について説明する。ここで、「並列的に作用する」とは、両スプリングを合わせてのバネ定数を大きくする側に作用することをいう。
図６に示すごとく、並列スプリング４０は、ガバナレバー軸１５の下方であって、テンションレバー１２をその前面側から（図６における左方から）押圧するように作用するスプリングであり、テンションレバー１２を反時計周りに回転させるように付勢するものである。
具体的には、該並列スプリング４０の一側端部は、テンションレバー１２に穿設された段付の貫通孔１２ａに挿嵌されたピン部材４８の前側端面に当接する一方、他側端部は、ケーシング８の前面に貫設したシリンダ体４１に進退自在で、かつ、並列スプリング４０の伸び量を切替え可能なピストン体４２の先端部に巻装される構成としている。
ピストン体４２は、シリンダ体４１内部のスプリング４２ａにより、シリンダ体４１に収容される側に付勢される一方、シリンダ体４１において並列スプリング４０とは反対側に伸長自在に突設させたプッシュピン４３との間に介装されたスプリング４２ｂにより、シリンダ体４１から突出する側に付勢されている。また、袋ナット４４を取り外して前記プッシュピン４３を外部より押すことで、前記スプリング４２ｂの作用のＯＮ／ＯＦＦの切替が行われるようになっている。以上の構成で、発電機仕様の燃料噴射ポンプのガバナ装置において、前記燃料噴射ポンプのコントロールラックに連動連結されるコントロールレバー２１に係止されるガバナスプリング２０と、該ガバナスプリング２０にテンションレバー１２を介して並列的に作用する並列スプリング４０を設けるとともに、ガバナ装置１の外部には、前記並列スプリング４０のテンションレバー１２に対する作用状態を定量的に変更可能とするプッシュピン４３を設けた構成としている。
【００１８】
そして、以上の構成において、低→高のヘルツ切替の際には、プッシュピン４３を押してピストン体４２を伸長させ、並列スプリング４０をテンションレバー１２に作用させる。これにより、並列スプリング４０は、前記ガバナスプリング２０の第一ガバナレバー１１に対する付勢力と並列的に作用する付勢力を呈する、つまり、コントロールレバー２１とテンションレバー１２とを互いに引寄せる側に作用するガバナスプリング２０の付勢力を弱めることから、図７に示すごとく、直線Ｈ１で示されるガバナレバー仕組のレギュレーションは、並列スプリング４０を作用させないままで高ヘルツに切り替えた場合における直線Ｈ２で示されるレギュレーションと比較して大きくなる。
この直線Ｈ１で示されるレギュレーションは、低ヘルツにおけるガバナレバー仕組のレギュレーションを表す直線Ｌ１と略同一となることから、低→高へのヘルツ切替に際し、同一のレギュレーションを維持することができる。
逆に、高→低のヘルツ切替の際には、プッシュピン４３を押すことにより、ピストン体４２を収縮させることで、テンションレバー１２に対する並列スプリング４０の作用を減少させる、もしくは、全く作用させないようにして、ガバナスプリング２０の付勢力を増加する側に変更することで、低ヘルツにおけるレギュレーションの設定に切り替えることができる。
以上のようにして、ヘルツ切替に応じて、プッシュピン４３を操作することにより、両ヘルツにおいて略同一のレギュレーションを維持する。換言すれば、両ヘルツにおけるレギュレーションを近づける補正をすることができる。
また、ケーシング８の外部にプッシュピン４３を突出させるとともに、プッシュ操作で行えるため、切り替え操作を容易に行うことができる。また、この切り替え操作の形式により、並列スプリング４０のテンションレバー１２に対する作用状態を定量的に変更できるようになっている。
尚、並列スプリング４０の付勢力・作用状態を変更する機構については、プッシュピン４３を用いた本実施例に限定されるものではなく、例えば、ケーシング８に螺挿したボルト体の先端に、並列スプリング４０を巻装する構成として、ボルト体をねじ込む量により、並列スプリング４０の付勢力・作用状態を変更するといった簡易な構成としてもよい。
【００１９】
次に、本発明にかかる、ガバナスプリング２０の第一ガバナレバー１１に対する付勢力と直列的に作用する付勢力を呈する直列スプリングを設ける構成について説明する。「直列的に作用する」とは、両スプリングを合わせてのスプリングのバネ定数を小さくする側に作用することをいう。
図８に示すごとく、直列スプリング５０は、ガバナレバー軸１５の下方であって、テンションレバー１２に嵌設されたハウジング５１内に設けられており、同ハウジング５１内に摺動自在に設けた押圧ピン５２の大径部５２ａを後方（スリーブ１０側）へ付勢している。
また、上述したごとく、テンションレバー１２の下部後面には、第二ガバナレバー２７の下部立面の前面が当接する構成となっており、該下部立面には、後端側が前記スリーブ１０に当接し、前端側が前記押圧ピン５２の後端部に設けた押圧部５２ｂの後端面に当接する当接ピン２７ａが嵌設されている。
また、前記ハウジング５１は、テンションレバー１２に対し螺嵌される構成としており、固定ナット５１ａを緩めてねじ込み量を変更することにより、押圧ピン５２のリフト量を変更できるように構成されている。
また、前記押圧ピン５２は、ハウジング５１の外側で嵌設される留め輪５６にて直列スプリング５０の付勢力によって抜け落ちないようにするとともに、該留め輪５６とハウジング５１の端面との間にシム５５を挟装することにより、直列スプリング５０の取付荷重を任意に設定できるように構成されている
以上の構成で、発電機仕様の燃料噴射ポンプのガバナ装置において、前記燃料噴射ポンプのコントロールラックに連動連結されるコントロールレバー２１に係止されるガバナスプリング２０と、前記ガバナスプリング２０とテンションレバー１２を介して直列的に作用する直列スプリング５０を設けるとともに、前記直列スプリング５０の付勢力及びテンションレバー１２に対するリフト量を変更可能な構成とすることで、低ヘルツ電力の発電時におけるガバナレバー仕組みのレギュレーションを小さくする構成としている。
【００２０】
そして、以上の構成において、直列スプリング５０は、押圧ピン５２に作用することから、第二ガバナレバー２７からの反力により、テンションレバー１２を時計回りに回転させる付勢力が生成される。この付勢力は、ガバナスプリング２０と直列的に作用するものであり、つまり、コントロールレバー２１とテンションレバー１２とを互いに引寄せる側に作用するガバナスプリング２０の付勢力を強めるものである。
また、この直列スプリング５０の付勢力は、前記押圧ピン５２のリフト量と、直列スプリング５０の取付荷重の設定により、低ヘルツでの使用時にのみ作用するようになっている。即ち、図９に示すごとく、低ヘルツにおけるレギュレーション（直線Ｌ１）を小さくして、高ヘルツにおけるレギュレーション（直線Ｈ１）に近づけるように、リフト量・取付荷重の調整が行われるものである。
【００２１】
以上のような構成で、低→高ヘルツに切り替わった場合においては、直列スプリング５０は作用しないため、高ヘルツのレギュレーションの設定には影響を与えず、逆に、高→低ヘルツに切り替わった場合においては、直列スプリング５０が作用して、高ヘルツにおけるレギュレーションを維持するものである。
このように、前記リフト量・取付荷重の初期設定が必要となるのみであり、ヘルツ切替において特別な設定・操作を必要とせずとも、低・高ヘルツにおいて略同一のレギュレーションを実現することができ、ヘルツ切替に伴うレギュレーションに関する設定・調整の手間を削減することができる。
【００２２】
【発明の効果】
本発明は以上のごとく構成したので、次のような効果を奏するのである。即ち、請求項１に記載のごとく、発電機仕様のエンジンに用いられる燃料噴射ポンプのガバナ装置において、前記燃料噴射ポンプのコントロールラックに連動連結されるコントロールレバー軸の軸受を偏心構造とし、ガバナ装置の外部には、前記軸受の円周方向の角度を定量的に変更可能とする操作部を設けたので、６０Ｈｚの周波数で使用する場合にはガバナレバー仕組のレギュレーションが大きくなる一方、５０Ｈｚの周波数で使用する場合にはレギュレーションが小さくなるので、低・高ヘルツにおけるガバナレバー仕組みのレギュレーションを互いに近づける、つまり、レギュレーションの変化を極力小さくすることができる。
【００２３】
また、請求項２に記載のごとく、発電機仕様のエンジンに用いられる燃料噴射ポンプのガバナ装置において、前記燃料噴射ポンプのコントロールラックに連動連結されるコントロールレバーに係止されるガバナスプリングと、前記ガバナスプリングにテンションレバーを介して並列的に作用する並列スプリングを設けるとともに、ガバナ装置の外部には、前記並列スプリングのテンションレバーに対する作用状態を定量的に変更可能とする操作部を設けたので、テンションレバーに加える付勢力の作用／非作用を切り替えることにより、常に一定量のガバナレバー仕組のレギュレーションの補正を行うことが可能となる。
【００２４】
また、請求項３に記載のごとく、発電機仕様のエンジンに用いられる燃料噴射ポンプのガバナ装置において、前記燃料噴射ポンプのコントロールラックに連動連結されるコントロールレバーに係止されるガバナスプリングと、テンションレバーを介して前記ガバナスプリングと直列的に作用する直列スプリングを設けるとともに、前記直列スプリングの付勢力及びテンションレバーに対するリフト量を変更可能な構成とすることで、低ヘルツ電力の発電時におけるガバナレバー仕組みのレギュレーションを小さくする構成としたので、ヘルツ切替において特別な設定・操作を必要とせずとも、低・高ヘルツにおいて略同一のガバナレバー仕組のレギュレーションを実現することができ、ヘルツ切替に伴うレギュレーションに関する設定・調整の手間を削減することができる。
【図面の簡単な説明】
【図１】本発明のガバナ装置を示す側面断面図である。
【図２】同じく側面図である。
【図３】コントロールレバーの軸心位置調節機構を示す平面一部断面図である。
【図４】調整レバーの動作を示す側面図である。
【図５】図１の構成における低・高ヘルツそれぞれのレギュレーションの関係を示す模式図である。
【図６】並列スプリングを備えるガバナ装置を示す側面断面図である。
【図７】図６の構成における低・高ヘルツそれぞれのレギュレーションの関係を示す模式図である。
【図８】直列スプリングを備えるガバナ装置を示す側面断面図である。
【図９】図８の構成における低・高ヘルツそれぞれのレギュレーションの関係を示す模式図である。
【符号の説明】
７    ガバナ装置
２２  コントロールレバー軸
２３  偏心軸受
２４  調整レバー
【図１】
2004204750.tif 000003
【図２】
2004204750.tif 000004
【図３】
2004204750.tif 000005
【図４】
2004204750.tif 000006
【図５】
2004204750.tif 000007
【図６】
2004204750.tif 000008
【図７】
2004204750.tif 000009
【図８】
2004204750.tif 000010
【図９】
2004204750.tif 000011